(57)【要約】【課題】燃料集合体の破損につながる危険性のある異物が、原子炉や使用済燃料プール内等に飛散・混入してしまう事態の発生を確実に防止でき、更には、万一の地震時に発生するスロッシングによる床面への溢水拡大防止が図れる原子力発電所における溢水対策を施した異物混入防止設備を提供する。【解決手段】発明に係る原子力発電所における溢水対策を施した異物混入防止設備は、原子力発電所における気水分離器等貯蔵プール・原子炉・使用済燃料プールの周囲に、異物混入防止対策を施したフェンスを設置し、このフェンスの外側に本設の異物混入防止エリアフェンスをさらに設置して、二重の防壁を形成している。また、本設の異物混入防止エリアフェンスは、床面に直接固定され、簡単に取り外しができない構造になっている。また、外側から進入する異物の混入防止や、内側から溢水する使用済燃料プール水等の床面への拡大防止が図れる構造になっている。【選択図】図１
2010164546.tif 000002
【特許請求の範囲】
【請求項１】
原子力発電所における気水分離器等貯蔵プール・原子炉・使用済燃料プールの周囲に、異物混入防止対策を施したフェンスを設置し、このフェンスの外側に本設の異物混入防止エリアフェンスをさらに設置して、二重の防壁を形成したことを特徴とする原子力発電所における溢水対策を施した異物混入防止設備。
【請求項２】
二重の防壁を形成する内側のフェンスと、外側の本設の異物混入防止エリアフェンスは、内側に遮蔽板を設けたフェンス枠と、互いに隣接配置されたフェンス枠相互間の隙間を塞ぐための重ね合わせ式の連結部と、フェンス枠の下側にハンガーレールを介して取り付けられた垂れ幕状の異物混入防止シートを備えており、部分的な取付構造や隣接する隣り合わせのフェンスの連結方法に多少の違いはあるものの、異物混入防止の観点では基本的に同仕様に形成されている請求項１に記載の原子力発電所における溢水対策を施した異物混入防止設備。
【請求項３】
本設の異物混入防止エリアフェンスは、床面に直接固定され、簡単に取り外しができない構造になっている請求項１または２に記載の原子力発電所における溢水対策を施した異物混入防止設備。
【請求項４】
本設の異物混入防止エリアフェンスは、主となる出入口部分をクランク構造としている請求項１乃至３のいずれかに記載の原子力発電所における溢水対策を施した異物混入防止設備。
【請求項５】
本設の異物混入防止エリアフェンスは、主となる出入口部分に、折り畳み式テーブルと、折り畳み式椅子を備えている請求項４に記載の原子力発電所における溢水対策を施した異物混入防止設備。
【請求項６】
本設の異物混入防止エリアフェンスは、脚部を介して床面に固定され、該脚部を介して形成されたフェンス下端開放部分内側を密閉する堰板を備えている請求項１乃至５のいずれかに記載の原子力発電所における溢水対策を施した異物混入防止設備。
【請求項７】
堰板は、本設の異物混入防止エリアフェンスの下端開放部分内側において、上下にスライドさせて任意の高さ位置で固定可能とした高さ調整機構を備えている請求項６に記載の原子力発電所における溢水対策を施した異物混入防止設備。
【請求項８】
堰板は、床面に接する下端部を鋭角に曲げ加工し、粘着テープを介して床面に固定可能とした請求項６または７に記載の原子力発電所における溢水対策を施した異物混入防止設備。
【請求項９】
本設の異物混入防止エリアフェンスの下端開放部分外側には、ハンガーレールを介して取り付けられた垂れ幕状の異物混入防止シートを備え、前記堰板は、その内側に併設されている請求項６乃至８のいずれかに記載の原子力発電所における溢水対策を施した異物混入防止設備。
【請求項１０】
堰板は、互いに隣接配置された相互間を重ね合わせることで、堰板同士の隙間を塞いでいる請求項６乃至９のいずれかに記載の原子力発電所における溢水対策を施した異物混入防止設備。
【請求項１１】
内側のフェンスは、脚部を介して使用済燃料プールの淵に立設・固定され、該脚部を介して形成されたフェンス下端開放部分外側を密閉するよう、フェンスの下側には、ハンガーレールを介して取り付けられた垂れ幕状の堰止用異物混入防止シートを備えている請求項１乃至９のいずれかに記載の原子力発電所における溢水対策を施した異物混入防止設備。
【請求項１２】
内側のフェンスが立設される使用済燃料プールの淵は、通常床面より、略１００ｍｍ立ち上がった縁石状になっており、堰止用異物混入防止シートの下端側は、当該縁石に面ファスナーを介して固定される請求項１１に記載の原子力発電所における溢水対策を施した異物混入防止設備。
【請求項１３】
堰止用異物混入防止シートは、互いに隣接配置された相互間を重ね合わせることで、当該シート同士の隙間を塞いでいる請求項１１または１２に記載の原子力発電所における溢水対策を施した異物混入防止設備。
【発明の詳細な説明】
【技術分野】
【０００１】
本発明は、原子力発電所における気水分離器等貯蔵プールを連接した原子炉や、使用済燃料プールの廻りに設置される、原子力発電所における溢水対策を施した異物混入防止設備に関するものである。
【背景技術】
【０００２】
従来においては、図２１に示すように、原子力発電所における気水分離器等貯蔵プール、原子炉、使用済燃料プールの廻りには、異物混入防止対策を施したフェンスＡが設置されている。
【０００３】
このフェンスＡは、気水分離器等貯蔵プール、原子炉、使用済燃料プール内に、例えば、ボルト・ナット・座金・金属片・塗膜片・シート・テープ等の異物の混入を防止できるものである。
【０００４】
しかし、気水分離器等貯蔵プール、原子炉、使用済燃料プールの周辺には、誰もが接近することが可能であることから、使用済燃料プール内や、気水分離器等貯蔵プールを連設した原子炉内に、異物が混入してしまう可能性を否定できない。
【０００５】
近年の原子力発電所においては、このような異物（特に金属類）の混入による燃料破損、すなわちデブリ破損が頻発していることから、図２１に示すように、気水分離器等貯蔵プール、原子炉、使用済燃料プールの廻りに設置されているフェンスＡの外側に、仮設フェンスＣを設置している。
【０００６】
この仮設フェンスＣは、格子状の鉄枠（約１，０００ｍｍ×８００ｍｍ）同士を、スタンションで倒れ防止を図りながら連結し、シートを被せて養生した後、テープで固定したものである。
【０００７】
デブリ破損は、例えば、図２２に示すように、金属片異物である、所謂デブリが燃料集合体Ｒの中に混入し、スペーサ部Ｓ等に捕捉された状態で流体により振動し、燃料被覆管の表面が摩耗する、所謂フレッティングを起こすことである。
【０００８】
さらに、原子力発電所においては、先の新潟県中越沖地震、岩手・宮城内陸地震により、気水分離器等貯蔵プール・原子炉・使用済燃料プールからのスロッシングによる溢水事象が発生しており、系外放出を否定できない。
【先行技術文献】
【特許文献】
【０００９】
【特許文献１】特になし
【発明の概要】
【発明が解決しようとする課題】
【００１０】
そして、従来においては、フェンスＡの外側に、仮設フェンスＣを設置しているものの、仮設フェンスＣには隙間が生じ易いことから、使用済燃料プール側、気水分離器等貯蔵プールを連接した原子炉側とフロア側とを完全に隔離することができず、このためにフロア側から飛散した金属片等の異物がその隙間を通じて混入したり水域側から溢水が拡大する虞がある。
【００１１】
また、枠体への不十分な養生の方法や、仮設フェンスＣの長期的な養生使用による劣化（例えば、シートやテープの一部が剥がれたり、破れたりすること）等のために、二次的な災害として仮設フェンスＣ自体のシート片・テープ片の一部が、気水分離器等貯蔵プール内や原子炉内、また、使用済燃料プール内に混入する可能性があった。
【００１２】
加えて、あくまで仮設フェンスＣであることから、フェンス自体の取り外しと移動が容易にできてしまう。その為、異物の混入防止・溢水拡大防止対策として設定しているエリアが、作業員の都合により極めて容易に変更されてしまうという問題が生じていた。
【００１３】
その結果、例えば、作業員の出入り口が複数個所に設けられ易くなり、物の持ち込みや持ち出しを制限している枠エリアや溢水に対する想定エリアとしてのレベルが低下せざるを得なかった。
【００１４】
そこで、本発明は如上のような従来存した諸事情に鑑み創出されたもので、原子力発電所における気水分離器等貯蔵プール、原子炉、使用済燃料プールの廻りにおいて、例えば、燃料集合体の破損につながる危険性のある異物が、原子炉・使用済燃料プール内等に飛散・混入してしまう事態の発生や、万一の地震時に発生するスロッシングによる床面への溢水拡大を確実に防止できる原子力発電所における溢水対策を施した異物混入防止設備を提供することを目的とする。
【課題を解決するための手段】
【００１５】
本発明に係る原子力発電所における溢水対策を施した異物混入防止設備は、気水分離器等貯蔵プール・原子炉・使用済燃料プールの周囲に、異物混入防止対策を施したフェンスを設置し、このフェンスの外側に本設の異物混入防止エリアフェンスをさらに設置して、二重の防壁を形成したことで、上述した課題を解決した。
【００１６】
また、二重の防壁を形成する内側のフェンスと、外側の本設の異物混入防止エリアフェンスは、内側に遮蔽板を設けたフェンス枠と、互いに隣接配置されたフェンス枠相互間の隙間を塞ぐための重ね合わせ式の連結部と、フェンス枠の下側にハンガーレールを介して取り付けられた垂れ幕状の異物混入防止シートを備えており、部分的な取付構造や隣接する隣り合わせのフェンスの連結方法に多少の違いはあるものの、異物混入防止の観点では基本的に同仕様に形成されていることで、同じく上述した課題を解決した。
【００１７】
さらに、本設の異物混入防止エリアフェンスは、床面に直接固定され、簡単に取り外しができない構造になっていることで、同じく上述した課題を解決した。
【００１８】
また、本設の異物混入防止エリアフェンスは、主となる出入口部分をクランク構造としていることで、同じく上述した課題を解決した。
【００１９】
加えて、本設の異物混入防止エリアフェンスは、主となる出入口部分に、折り畳み式テーブルと、折り畳み式椅子を備えていることで、同じく上述した課題を解決した。
【００２０】
また、本設の異物混入防止エリアフェンスは、脚部を介して床面に固定され、該脚部を介して形成されたフェンス下端開放部分内側を密閉する堰板を備えていることで、同じく上述した課題を解決した。
【００２１】
この他、堰板は、本設の異物混入防止エリアフェンスの下端開放部分内側において、上下にスライドさせて任意の高さ位置で固定可能とした高さ調整機構を備えていることで、同じく上述した課題を解決した。
【００２２】
また、堰板は、床面に接する下端部を鋭角に曲げ加工し、粘着テープを介して床面に固定可能としたことで、同じく上述した課題を解決した。
【００２３】
さらに、本設の異物混入防止エリアフェンスの下端開放部分外側には、ハンガーレールを介して取り付けられた垂れ幕状の異物混入防止シートを備え、前記堰板は、その内側に併設されていることで、同じく上述した課題を解決した。
【００２４】
また、堰板は、互いに隣接配置された相互間を重ね合わせることで堰板同士の隙間を塞いでいることで、同じく上述した課題を解決した。
【００２５】
加えて、内側のフェンスは、脚部を介して使用済燃料プールの淵に立設・固定され、該脚部を介して形成されたフェンス下端開放部分外側を密閉するよう、フェンスの下側には、ハンガーレールを介して取り付けられた垂れ幕状の堰止用異物混入防止シートを備えていることで、同じく上述した課題を解決した。
【００２６】
また、内側のフェンスが立設される使用済燃料プールの淵は、通常床面より、略１００ｍｍ立ち上がった縁石状になっており、堰止用異物混入防止シートの下端側は当該縁石に面ファスナーを介して固定されることで、同じく上述した課題を解決した。
【００２７】
さらに、前記堰止用異物混入防止シートは、互いに隣接配置された相互間を重ね合わせることで、当該シート同士の隙間を塞いでいることにより、同じく上述した課題を解決した。
【発明の効果】
【００２８】
本発明に係る原子力発電所における溢水対策を施した異物混入防止設備は、気水分離器等貯蔵プール・原子炉・使用済燃料プールの周囲に、異物混入防止対策を施したフェンスを設置し、このフェンスの外側に本設の異物混入防止エリアフェンスをさらに設置して、二重の防壁を形成したことから、燃料集合体の破損につながる危険性のある異物が、原子炉・使用済燃料プール内等に飛散・混入してしまう事態の発生や、万一の地震時に発生するスロッシングによる想定エリア外への溢水拡大を確実に防止することができる。
【００２９】
その為、金属片異物である、所謂デブリが燃料集合体Ｒの中に混入し、スペーサ部Ｓ等に捕捉された状態で流体により振動し、燃料被覆管の表面が摩耗する、所謂フレッティングを起こしてしまう事態の発生を回避でき、更には、万一の地震時に発生するスロッシングによって床面へ溢水が拡大した場合の想定される系外放出事象を回避できるものである。
【００３０】
また、本設の異物混入防止エリアフェンスは、床面に直接固定され、簡単に取り外しができない構造になっていることから、異物の混入防止と溢水拡大防止対策として設定しているエリアについて、作業員の都合により極めて容易にエリアが変更されてしまうという問題を解消できる。
【００３１】
その結果、異物の混入防止対策として、例えば、物の持ち込みや持ち出しを制限している管理エリアとしてのレベルも向上させることにもなった。
【００３２】
さらに、フェンス自体の移動が困難であることから、本設の異物混入防止エリアフェンス同士の間に隙間が生じることがなく、使用済燃料プール側、気水分離器等貯蔵プールを連接した原子炉側とフロア側とを完全に隔離することができる。
【００３３】
その結果、フロア側から飛散した金属片等の異物が、本設の異物混入防止エリアフェンス同士の隙間を通じて混入する虞もない。
【００３４】
上記同様に、地震が発生した場合での気水分離器等貯蔵プール・原子炉・使用済燃料プールからのスロッシングによる溢水が、本設の異物混入防止エリアフェンス同士の隙間を通じて想定エリア外に拡大する虞もない。
【００３５】
加えて、仮設フェンスを使用しなくてすむことから、仮設フェンスの長期的な養生使用による劣化（例えば、シートやテープの一部が剥がれたり、破れたりすること）等のために、二次的な災害として仮設フェンス自体のシート片・テープ片の一部が気水分離器等貯蔵プール、原子炉、使用済燃料プール内に混入するというトラブルや、剥れ箇所、破れ箇所からの漏水の拡大を回避することができる。
【００３６】
また、二重の防壁を形成する内側のフェンスと、外側の本設の異物混入防止エリアフェンスは、内側に遮蔽板を設けたフェンス枠と、互いに隣接配置されたフェンス枠相互間の隙間を塞ぐための重ね合わせ式の連結部と、フェンス枠の下側にハンガーレールを介して取り付けられた垂れ幕状の異物混入防止シートを備えていることから、燃料集合体の破損につながる危険性のある異物が使用済燃料プール内等に飛散・混入してしまう事態の発生や、万一の地震時に発生するスロッシングによる想定エリア外への溢水拡大を確実に防止することができる。
【００３７】
さらに、二重の防壁を形成する内側のフェンスと、外側の本設の異物混入防止エリアフェンスは、部分的な取付構造や隣接する隣り合わせのフェンスの連結方法に多少の違いはあるものの、異物混入防止の観点では基本的に同仕様に形成されていることから、原子力発電所における溢水対策を施した異物混入防止設備を、比較的に安価に構築することができる。
【００３８】
この他、本設の異物混入防止エリアフェンスは、主となる出入口部分をクランク構造としていることから、作業員の自由な出入りを制限でき、物の持ち込みや持ち出しを制限している管理エリアとしてのレベルを向上させることができる。
【００３９】
また、本設の異物混入防止エリアフェンスは、主となる出入口部分に、折り畳み式テーブルと、折り畳み式椅子を備えていることから、監視員がこれらを利用して、長時間に渡り物品等の持ち込み、持ち出しを的確に監視し、管理エリアとしてのレベルをさらに向上させることができる。
【００４０】
さらに、本設の異物混入防止エリアフェンスは、脚部を介して床面に固定され、該脚部を介して形成されたフェンス下端開放部分内側を密閉する堰板を備えているので、例えば、新潟県中越沖地震と同等クラスの地震が発生した場合であっても、気水分離器等貯蔵プール・原子炉・使用済燃料プールからのスロッシングによる溢水の拡大を想定エリア内で確実に抑えることができる。
【００４１】
また、堰板は、本設の異物混入防止エリアフェンスの下端開放部分内側において上下にスライドさせて任意の高さ位置で固定可能とした高さ調整機構を備えているので、気水分離器等貯蔵プール・原子炉・使用済燃料プール廻りにおいて、床面の傾斜部分を含めた全ての箇所で密閉性を確実に高めることができる。
【００４２】
加えて、堰板は、床面に接する下端部を鋭角に曲げ加工し、粘着テープを介して床面に固定可能としたので、堰板による本遮蔽板全体の密閉性をよりいっそう高めることができる。
【００４３】
また、本設の異物混入防止エリアフェンスの下端開放部分外側には、ハンガーレールを介して取り付けられた垂れ幕状の異物混入防止シートを備え、前記堰板は、その内側に併設されているので、外側の異物混入防止シートにより、燃料集合体の破損につながる危険性のある異物が、原子炉内や使用済燃料プール内等に飛散・混入してしまう事態の発生を確実に防止することができると同時に、内側の堰板により、地震が発生した時の気水分離器等貯蔵プール・原子炉・使用済燃料プールからのスロッシングによる溢水の想定エリア外への拡大を確実に抑えることができる。
【００４４】
この他、堰板は、互いに隣接配置された相互間を重ね合わせることで、堰板同士の隙間を塞いでいるので、地震が発生した場合での気水分離器等貯蔵プール・原子炉・使用済燃料プールからのスロッシングによる溢水の想定エリア外への拡大を確実に抑えることができる。
【００４５】
また、内側のフェンスは、脚部を介して使用済燃料プールの淵に立設・固定され、該脚部を介して形成されたフェンス下端開放部分を密閉するようフェンスの下側には、ハンガーレールを介して取り付けられた垂れ幕状の堰止用異物混入防止シートを備えているので、地震発生時において、運転中・定期検査中に限らず常時開口されている状態にある主として使用済燃料プールからのスロッシングによる溢水の想定エリア外への拡大を軽減することができる。
【００４６】
さらに、内側のフェンスが立設される使用済燃料プールの淵は、通常床面より、略１００ｍｍ立ち上がった縁石状になっており堰止用異物混入防止シートの下端側は、当該縁石に面ファスナーを介して固定されるので、堰止用異物混入防止シート自体が溢水による水圧で押されて捲れ上ることがなくなり、その密閉性をよりいっそう高めることができる。
【００４７】
また、堰止用異物混入防止シートは、互いに隣接配置された相互間を重ね合わせることで、当該シート同士の隙間を塞いでいるので、互いに隣接配置された堰止用異物混入防止シート相互間の密閉性をよりいっそう高めることができる。
【図面の簡単な説明】
【００４８】
【図１】原子力発電所における気水分離器等貯蔵プール・原子炉・使用済燃料プールの周囲に、異物混入防止対策を施したフェンスを設置し、このフェンスの外側に本設の異物混入防止エリアフェンスをさらに設置して、二重の防壁を形成している状態を示す斜視図である。
【図２】個々の異物混入防止エリアフェンスを脚部を介して床面に固定すると共に、個々の異物混入防止エリアフェンスを連結部を介して隙間無く連設している状態を示す斜視図である。
【図３】個々の異物混入防止エリアフェンスを脚部を介して床面に固定すると共に、個々の異物混入防止エリアフェンスを連結部を介して隙間無く連設する状態を示す分解斜視図である。
【図４】個々の異物混入防止エリアフェンスを連結部を介して連設するもので、（ａ）は特定の異物混入防止エリアフェンスの連結部に、他の異物混入防止エリアフェンスの垂設のフェンス枠を接合させる状態を示す斜視図、（ｂ）は特定の異物混入防止エリアフェンスにおける固定板片のボルト孔を、他の異物混入防止エリアフェンスにおける垂設のフェンス枠のボルト挿入穴に合致させ、ボルト部材を貫装させて異物混入防止エリアフェンス同士を固定した状態を示す斜視図である。
【図５】異物混入防止エリアフェンスの異物混入防止シートの構成を示すもので、（ａ）はフェンス枠の下側に、ハンガーレールを介して異物混入防止シートが垂れ幕状に取り付けられている状態を示す斜視図、（ｂ）はハンガーレールの構成を示す一部拡大の側面図である。
【図６】折り畳み式テーブルを展開した状態を示す斜視図である。
【図７】折り畳み式テーブルを展開した状態を示すもので、（ａ）は平面図、（ｂ）は正面図である。
【図８】折り畳み式テーブルを折り畳んだ状態を示す斜視図である。
【図９】折り畳み式テーブルの構成を示すもので、（ａ）は折り畳み式テーブルを折り畳んだ状態を示す側面図、（ｂ）は折り畳み式テーブルを折り畳む状態を示す側面図である。
【図１０】折り畳み式椅子を展開した状態を示す斜視図である。
【図１１】折り畳み式椅子を展開した状態を示すもので、（ａ）は平面図、（ｂ）は側面図、（ｃ）は正面図である。
【図１２】折り畳んだ状態における折り畳み式椅子の掛着片を異物混入防止エリアフェンスのフェンス枠に上方から宛がい、本設の異物混入防止エリアフェンスに引っ掛けるようにして取り付けている状態を示す斜視図である。
【図１３】折り畳んだ状態における折り畳み式椅子を本設の異物混入防止エリアフェンスに取り付けている状態を示すもので、（ａ）は側面図、（ｂ）は正面図である。
【図１４】二重の防壁を形成している溢水対策を施した異物混入防止設備における、他の構成例を示す側面図である。
【図１５】他の構成例における個々の異物混入防止エリアフェンスを、脚部を介して床面に固定する状態を示す分解斜視図である。
【図１６】他の構成例における個々の異物混入防止エリアフェンスを脚部を介して床面に固定し、堰板により異物混入防止エリアフェンスの下端側を密閉した状態を示す斜視図である。
【図１７】他の構成例における異物混入防止エリアフェンスの設置状態を、内側から見た正面図である。
【図１８】他の構成例における内側のフェンスを、脚部を介して床面に固定する状態を示す分解斜視図である。
【図１９】他の構成例における内側のフェンスを、脚部を介して床面に固定し、異物混入防止シートにより当該フェンスの下端側を密閉した状態を示す斜視図である。
【図２０】他の構成例における内側のフェンスの設置状態を、外側から見た正面図である。
【図２１】原子力発電所における気水分離器等貯蔵プール、原子炉、使用済燃料プールの廻りに、異物混入防止対策を施したフェンスを設置し、このフェンスの外側に、仮設フェンスを設置している従来の状態を示す斜視図である。
【図２２】金属片異物である、所謂デブリが燃料集合体の中に混入し、スペーサ部等に捕捉された状態で流体により振動し、燃料被覆管の表面が摩耗する、所謂フレッティングを起こす状態の説明図である。
【発明を実施するための形態】
【００４９】
以下に、本発明を実施するための最良の形態について、図面を参照して詳細に説明する。
【００５０】
本発明に係る原子力発電所における溢水対策を施した異物混入防止設備は、図１に示すように、気水分離器等貯蔵プール・原子炉・使用済燃料プールの周囲に、異物混入防止対策を施したフェンスＡを設置し、このフェンスＡの外側に本設の異物混入防止エリアフェンスＢをさらに設置して、溢水拡大防止対策含む二重の防壁を形成している。
【００５１】
この二重の防壁を形成する内側のフェンスＡと、外側の本設の異物混入防止エリアフェンスＢは、図２に示すように、いずれも内側に遮蔽板１を設けたフェンス枠２により形成されている。このフェンス枠２を複数連結して、内側のフェンスＡと、外側の本設の異物混入防止エリアフェンスＢをそれぞれ形成しているのである。
【００５２】
このように、二重の防壁を形成する内側のフェンスＡと、外側の本設の異物混入防止エリアフェンスＢは、部分的な取付構造や隣接する隣り合わせのフェンス連結方法に多少の違いはあるものの、異物混入防止の観点では基本的に同仕様に形成されていることから、以下に、本設の異物混入防止エリアフェンスＢを一例として図示し、その構成を詳述する。尚、以下に記載の内外両フェンスＡ，Ｂには、堰板は含まないものである。
【００５３】
個々の異物混入防止エリアフェンスＢは、図２に示すように、互いに隣接するように配置されたフェンス枠２相互間の隙間を塞ぐための、重ね合わせ式の連結部３を備えている。
【００５４】
また、異物混入防止エリアフェンスＢは、フェンス枠２の下端開放部分外側に、ハンガーレール４を介して取り付けられた垂れ幕状の異物混入防止シート５を備えている。
【００５５】
さらに、個々の異物混入防止エリアフェンスＢは、図２・図３に示すように、２個の脚部６を介して床面に直接固定され、床面から簡単に取り外しができない構造になっている。この脚部６は、基端部がフェンス枠２に固定されている垂直軸部７と、垂直軸部７の先端部に連設している方形状の固定板片８により形成されている。
【００５６】
固定板片８には、垂直軸部７を挟み込むように、２個のボルト孔を設けている。一方、異物混入防止エリアフェンスＢを固定する床面には、２個のホールインアンカー部９を設けている。このホールインアンカー部９は、固定板片８のボルト孔に合致するものである。
【００５７】
そして、図３に示すように、床面のホールインアンカー部９に固定板片８のボルト孔が合致するように脚部６を配置し、固定板片８のボルト孔と床面のホールインアンカー部９にアンカーボルト１０を貫装させて、異物混入防止エリアフェンスＢを床面に固定するのである。
【００５８】
異物混入防止エリアフェンスＢの連結部３は、図３に示すように、異物混入防止エリアフェンスＢの一端側に位置する垂設のフェンス枠２に取り付けられている。
【００５９】
この連結部３は、縦長の長方形状に形成された大型接合板１１と、横長の長方形状に形成されたスライド板片１２により構成されている。大型接合板１１は、図３に示すように、異物混入防止エリアフェンスＢの一端側に位置する垂設のフェンス枠２に沿って取り付けられている。
【００６０】
具体的には、大型接合板１１の縦方向における略４分の１部分が垂設のフェンス枠２に固定されており、大型接合板１１の縦方向における他の略４分の３部分は、垂設のフェンス枠２から側方に向けて突出している。
【００６１】
また、スライド板片１２は、異物混入防止エリアフェンスＢの一端側に位置する垂設のフェンス枠２の上部に固定されている。このスライド板片１２は、大型接合板１１に対向するように位置し、大型接合板１１とスライド板片１２により垂設のフェンス枠２を挟持するように取り付けられている。
【００６２】
また、スライド板片１２の横方向における略３分の１部分が垂設のフェンス枠２に固定されており、スライド板片１２の横方向における他の略３分の２部分は垂設のフェンス枠２から側方に向けて突出している。
【００６３】
このフェンス枠２から側方に向けて突出しているスライド板片１２の略３分の２の部分は、図４（ａ）に示すように、二股状に形成され、二股の間に水平溝１４を有している。
【００６４】
一方、隣り合うフェンス枠２には、図４（ａ）に示すように、蝶ネジ１３を取り付けている。
【００６５】
そして、個々の異物混入防止エリアフェンスＢを、互いに隣接するように配置したとき、図４（ａ）（ｂ）に示すように、一の異物混入防止エリアフェンスＢにおける垂設のフェンス枠２に設けている連結部３に、他の異物混入防止エリアフェンスＢにおける垂設のフェンス枠２を接合させる。このとき、連結部３を構成する大型接合板１１の存在によって、隣接する異物混入防止エリアフェンスＢ同士の隙間が閉鎖されている。
【００６６】
また、一の異物混入防止エリアフェンスＢにおけるスライド板片１２の水平溝１４を、他の異物混入防止エリアフェンスＢにおける蝶ネジ１３に宛がい、この蝶ネジ１３を締め付けることにより、スライド板片１２を固定し、隣接するように配置した異物混入防止エリアフェンスＢ同士を確実に固定するのである。
【００６７】
この他、異物混入防止エリアフェンスＢにおけるフェンス枠２の下端開放部分外側には、図５（ａ）（ｂ）に示すように、ハンガーレール４を介して、異物混入防止シート５が取り付けられている。この異物混入防止シート５は、透明なウレタン製素材を用いて全体として垂れ幕状に形成されており、異物混入防止シート５の下端部は、床面に接して若干湾曲したような状態となっている。
【００６８】
異物混入防止シート５は、図５（ａ）（ｂ）に示すように、ハンガーレール４から垂れ下げられるように、フェンス枠２に取り付けられている。ハンガーレール４は、横長の角筒材１７により形成され、角筒材１７の下面側において、その長手方向に沿ってスリット部１８を設けている。また、角筒材１７の両端部は開口した状態となっている。
【００６９】
さらに、角筒材１７の内部には、図５（ｂ）に示すように、異物混入防止シート５を取り付けている円筒部材１９を配置している。
【００７０】
また、角筒材１７内における円筒部材１９の下側には、異物混入防止シートの破断を防ぐための丸棒部材２０が、所定の間隔を開けて配置されている。
【００７１】
そして、異物混入防止シート５の下端部は、床面に接して若干湾曲したような状態となり、本設の異物混入防止エリアフェンスＢの下側における異物の混入防止を図っている。また、隣接する異物混入防止エリアフェンスＢ同士の異物混入防止シート５の下方における端部分が重なり合って隙間が閉鎖され、隣接する異物混入防止エリアフェンスＢ同士の間から、気水分離器等貯蔵プール・原子炉・使用済燃料プール内へ異物が混入してしまう事態を防止している。
【００７２】
加えて、本設の異物混入防止エリアフェンスＢは、図１に示すように、主となる出入口部分を、クランク構造としている。また、異物混入防止エリアフェンスＢは、主となる出入口部分に、折り畳み式テーブル２１と、折り畳み式椅子２２を備えている。これらの折り畳み式テーブル２１と折り畳み式椅子２２は、本設の異物混入防止エリアフェンスＢに、引っ掛けるようにして取り付けられている。
【００７３】
折り畳み式テーブル２１は、図６・図７（ａ）（ｂ）に示すように、展開したときの状態において、立設枠２３と、立設枠２３の程中間位置に水平に取り付けたテーブル板２４と、テーブル板２４の先端部に下向きに取り付けた補強枠２５により構成されている。
【００７４】
立設枠２３は、全体が長方形状に形成され、下部に１本の支持脚２６を設けている。
【００７５】
テーブル板２４は、方形状に形成され、その基端部が兆番を介して立設枠２３に取り付けられている。テーブル板２４は、図８・図９（ａ）（ｂ）に示すように、先端部側が上方に移動して立設枠２３に対して谷折り状に折曲可能である。
【００７６】
補強枠２５は、方形状に形成され、その先端部に２本の支持脚２７を設けている。補強枠２５は、その基端部が兆番を介してテーブル板２４に取り付けられている。補強枠２５は、図８・図９（ａ）（ｂ）に示すように、テーブル板２４の先端部側と共に上方に移動して、テーブル板２４に対して山折り状に折曲可能である。
【００７７】
また、立設枠２３の上部には、図８・図９（ａ）に示すように、掛着片２８を設けている。この掛着片２８は、水平板部分と水平板部分の先端に取り付けた下向きの折曲片により構成され、この掛着片２８を異物混入防止エリアフェンスＢのフェンス枠２に上方から宛がい、折り畳み式テーブル２１を本設の異物混入防止エリアフェンスＢに引っ掛けるようにして取り付けるのである。
【００７８】
さらに、折り畳み式テーブル２１は、図６・図７（ｂ）に示すように、展開したときの状態において、テーブル板２４の中間側面の位置と、補強枠２５の先端側面の位置を連結する長尺な支持板片２９を備えている。
【００７９】
前記した支持板片２９の基端部は、所定の丸棒ワッシャー止め３２を介して、補強枠２５の先端側面の位置に取り付けられている。また、支持板片２９の先端部は、所定の蝶ネジ３１を介してテーブル板２４の中間側面の位置に取り付けられている。さらに、図８に示すように、立設枠２３の下端部分の側面には、蝶ネジ３３が取り付けられている。そして、テーブル収納時には、蝶ネジ３１を緩めて支持板片２９の先端部を蝶ネジ３１から取り外し、この支持板片２９の先端部を蝶ネジ３３に宛がって蝶ネジ３３を締め付けて固定することにより、収納状態を保つことができるようにしている。
【００８０】
また、折り畳み式テーブル２１の他の側面においては、図７（ｂ）に示すように、補強枠２５の先端の若干上方の側面の位置に、折り畳み時固定フック３０を備えている。
【００８１】
前記した折り畳み時固定フック３０の基端部は、図７（ｂ）に示すように、所定の丸棒ワッシャー止め３６を介して、所定の蝶ネジ３５により補強枠２５の先端の若干上方の側面の位置に取り付けられている。
【００８２】
そして、折り畳み式テーブル２１を折り畳むときは、図６・図７（ｂ）に示す展開状態において、支持板片２９の蝶ネジ３１を緩めて、支持板片２９の先端部を蝶ネジ３１から取り外しておく。
【００８３】
次に、図８・図９（ａ）（ｂ）に示すように、テーブル板２４の先端部側を上方に移動させ、立設枠２３に対して谷折り状に折曲させる。このとき、補強枠２５は、テーブル板２４の先端部側と共に上方に移動して、テーブル板２４に対して山折り状に折曲する。
【００８４】
次に、折り畳んだ状態を維持するために、支持板片２９の先端部を立設枠２３の蝶ネジ３３に宛がい、蝶ネジ３３を締め付けて固定する。
【００８５】
同様に、蝶ネジ３５を緩めて、折り畳み時固定フック３０を補強枠２５の蝶ネジ３５から取り外し、この折り畳み時固定フック３０を蝶ネジ３４に宛がい、蝶ネジ３４を締め付けて固定する。
【００８６】
折り畳んだ状態の折り畳み式テーブル２１は、掛着片２８を異物混入防止エリアフェンスＢのフェンス枠２に上方から宛がい、折り畳み式テーブル２１を本設の異物混入防止エリアフェンスＢに引っ掛けるようにして取り付けている。このとき、図９（ａ）（ｂ）に示すように、掛着片２８に蝶ネジ３７を進退自在に取り付けていることから、この蝶ネジ３７を締め付けて、異物混入防止エリアフェンスＢに折り畳んだ状態の折り畳み式テーブル２１を一体的に固定できる。
【００８７】
また、折り畳み式椅子２２は、図１０・図１１（ａ）（ｂ）（ｃ）に示すように、展開したときの状態において、方形状の腰掛板３８と、腰掛板３８の下面に配置した後方脚部４０と前方脚部４１により構成されている。
【００８８】
腰掛板３８は、平面板部分４２と、平面板部分４２の後方側の下面に設けた短尺な間隔保持片４３により形成されている。
【００８９】
後方脚部４０は、一対の支持脚４４と、この支持脚４４を所定の間隔を開けて固定する水平棒部材４５により形成されている。また、水平棒部材４５の上部には、掛着片４６を設けている。この掛着片４６は、水平板部分と水平板部分の先端に取り付けた下向きの折曲片により構成され、図１２に示すように、この掛着片４６を異物混入防止エリアフェンスＢのフェンス枠２に上方から宛がい、折り畳み式椅子２２を本設の異物混入防止エリアフェンスＢに引っ掛けるようにして取り付けるのである。
【００９０】
後方脚部４０は、その水平棒部材４４が兆番を介して腰掛板３８の間隔保持片４３に取り付けられている。その為、図１２・図１３（ａ）に示すように、後方脚部４０が立設した状態において、腰掛板３８を山折り状に折曲可能である。このとき、腰掛板３８の間隔保持片４３の存在により、後方脚部４０と腰掛板３８の間に所定の空間が生じる。
【００９１】
前方脚部４１は、一対の支持脚４７と、この支持脚４７を所定の間隔を開けて固定する水平棒部材４８により形成されている。前方脚部４１は、その水平棒部材４８が兆番を介して腰掛板３８の前端部の下面に取り付けられている。その為、図１２・図１３（ａ）に示すように、後方脚部４０に対して腰掛板３８を山折り状に折曲した状態において、腰掛板３８の前端部で谷折り状に折曲可能である。このとき、後方脚部４０は、間隔保持片４３の存在により生じている、後方脚部４０と腰掛板３８の間の空間に配置される。
【００９２】
また、前方脚部４１と後方脚部４０の間には、図１０・図１１（ｂ）に示すように、折曲可能な支持板片４９が取り付けられている。この支持板片４９は、図１２・図１３（ａ）に示すように、全体の折り畳み時に谷折り状に折曲可能である。
【００９３】
折り畳んだ状態の折り畳み式椅子２２は、掛着片４６を異物混入防止エリアフェンスＢのフェンス枠２に上方から宛がい、折り畳み式椅子２２を本設の異物混入防止エリアフェンスＢに引っ掛けるようにして取り付ける。このとき、図１１（ｂ）・図１２・図１３（ａ）に示すように、掛着片４６に蝶ネジ５０を進退自在に取り付けていることから、この蝶ネジ５０を締め付けて、異物混入防止エリアフェンスＢに折り畳んだ状態の折り畳み式椅子２２を一体的に固定できる。
【００９４】
次に、二重の防壁を形成している溢水対策を施した異物混入防止設備の他の構成例について、図１４乃至図２１を参照して説明する。尚、前記した実施の形態と略同じ構成には、同一の符号を付すことにより、その詳細な説明を省略する。
【００９５】
本例においては、脚部６を介して床面に固定されている本設である外側の異物混入防止エリアフェンスＢにおいて、その脚部６を介して形成されているフェンス下端開放部分を内側から密閉するための、例えば、厚さ約１．５ｍｍ程度のＳＵＳ製板材による堰板５１を備えている。
【００９６】
この堰板５１は、図１４に示すように、異物混入防止エリアフェンスＢのフェンス下端開放部分において、ハンガーレール４を介して取り付けられた垂れ幕状となった外側の異物混入防止シート５に対向するようにして、その内側に併設されている。
【００９７】
すなわち、図１４乃至図１７に示すように、下側のフェンス枠２に設けられているハンガーレール４に対向して、一側面が長目に形成されたコ字枠状の吊架材５２の短尺一側面が溶接等によって固設され、この吊架材５２の長尺他側面には、高さ調整機構５３を介して、前記堰板５１が取り付けられている。
【００９８】
この高さ調整機構５３は、堰板５１の左右に形成された縦向きの長孔５４と、この長孔５４の形成位置に対応して吊架材５２の長尺他側面の左右に形成された挿入孔５５と、長孔５４および挿入孔５５に貫通させて反対側からナット材５６で締結される蝶ボルト５７とによって構成されている。
【００９９】
そして、この堰板５１の高さ調整に際し、異物混入防止エリアフェンスＢの下端開放部分内側において、高さ調整機構５３の蝶ボルト５７を緩めてから、堰板５１自体を長孔５４に沿って上下にスライドさせ、所定の高さ位置で蝶ボルト５７をナット材５６で締め付けて固定するようにしている。
【０１００】
また、堰板５１の床面に接する下端部には、例えば、角度３０°等の鋭角に曲げ加工し、粘着テープ５８等を介して床面に固定可能としている。
【０１０１】
この堰板５１の一端側は、図１７に示すように、垂設のフェンス枠２の位置よりも側方に向けて若干突出している。そして、異物混入防止エリアフェンスＢの一端側に位置する垂設のフェンス枠２に沿って、他の異物混入防止エリアフェンスＢが取り付けられた際には、図１５および図１６に示すように、互いに隣接配置された堰板５１同士が互いに重ね合わせられることで、堰板５１同士の間に隙間が生じないようにしている。
【０１０２】
また、図１４に示すように、内側のフェンスＡは、その脚部６を介して形成されているフェンス下端開放部分外側から密閉するための堰止用異物混入防止シート６１を備えている。
【０１０３】
すなわち、この堰止用異物混入防止シート６１は、図１８乃至図２０に示すように、透明なウレタン製素材を用いて全体として垂れ幕状に形成されており、堰止用異物混入防止シート６１の下端部は、使用済燃料プール淵の立ち上がった縁石６２の外側面に対し、雄雌による面ファスナー６３を介して固定されるようにしている。
【０１０４】
このとき、縁石６２の外面側にある、例えば、雄側（雌側）の面ファスナー６３に対応して、堰止用異物混入防止シート６１の下端部内面側の等間隔毎に、例えば、雌側（雄側）の面ファスナー６３が設けられている。
【０１０５】
具体的には、この堰止用異物混入防止シート６１は、図１４、図１８乃至図２０に示すように、前記異物混入防止シート５の場合と同様にハンガーレール４から垂れ下げられるように、フェンス枠２に取り付けられている。ハンガーレール４は、横長の角筒材１７により形成され、角筒材１７の下面側において、その長手方向に沿ってスリット部１８を設けている。また、角筒材１７の両端部は開口した状態となっている。
【０１０６】
さらに、角筒材１７の内部には、図１４に示すように、堰止用異物混入防止シート６１を取り付けている円筒部材１９を配置している。
【０１０７】
また、角筒材１７内における円筒部材１９の下側には、堰止用異物混入防止シート６１の破断を防ぐための丸棒部材２０が、所定の間隔を開けて配置されている。
【０１０８】
この堰止用異物混入防止シート６１の一端側は、図２０に示すように、垂設のフェンス枠２の位置よりも側方に向けて若干突出している。そして、内側のフェンスＡの一端側に位置する垂設のフェンス枠２に沿って、他の内側のフェンスＡが取り付けられた際には、図１８および図１９に示すように、互いに隣接配置された堰止用異物混入防止シート６１同士が重ね合わせられ、左右に付設された雄雌の面ファスナー６３を介して互いに密閉状となって固定されるようにしている。
【０１０９】
このように、二重の防壁を形成する内側のフェンスＡに設けられた堰止用異物混入防止シート６１、外側の本設の異物混入防止エリアフェンスＢに設けられた堰板５１それぞれにより、本遮蔽板１全体の密閉性をよりいっそう高めることができ、地震が発生した時の気水分離器等貯蔵プール・原子炉・使用済燃料プールからのスロッシングによる溢水の想定エリア外への拡大を確実に抑えることができるのである。
【産業上の利用可能性】
【０１１０】
本発明に係る原子力発電所における溢水対策を施した異物混入防止設備は、使用済燃料プールや、原子炉廻り、気水分離器等の貯蔵プール廻りに設置されることの他に、様々な分野における溢水対策を含めた異物混入防止設備として、幅広く利用することができる。
【符号の説明】
【０１１１】
Ｒ…燃料集合体
Ｓ…スペーサ部
Ｃ…仮設フェンス
Ａ…フェンス
Ｂ…本設の異物混入防止エリアフェンス
１…遮蔽板
２…フェンス枠
３…連結部
４…ハンガーレール
５…異物混入防止シート
６…脚部
７…垂直軸部
８…固定板片
９…ホールインアンカー部
１０…アンカーボルト
１１…大型接合板
１２…スライド板片
１３…蝶ネジ
１４…水平溝
１７…角筒材
１８…スリット部
１９…円筒部材
２０…丸棒部材
２１…折り畳み式テーブル
２２…折り畳み式椅子
２３…立設枠
２４…テーブル板
２５…補強枠
２６…支持脚
２７…支持脚
２８…掛着片
２９…支持板片
３０…折り畳み時固定フック
３１…蝶ネジ
３２…丸棒ワッシャー止め
３３…蝶ネジ
３４…蝶ネジ
３５…蝶ネジ
３６…丸棒ワッシャー止め
３７…蝶ネジ
３８…腰掛板
４０…後方脚部
４１…前方脚部
４２…平面板部分
４３…間隔保持片
４４…支持脚
４５…水平棒部材
４６…掛着片
４７…支持脚
４８…水平棒部材
４９…支持板片
５０…蝶ネジ
５１…堰板
５２…吊架材
５３…高さ調整機構
５４…長孔
５５…挿入孔
５６…ナット材
５７…蝶ボルト
５８…粘着テープ
６１…堰止用異物混入防止シート
６２…縁石
６３…面ファスナー
【図１】
2010164546.tif 000003
【図２】
2010164546.tif 000004
【図３】
2010164546.tif 000005
【図４】
2010164546.tif 000006
【図５】
2010164546.tif 000007
【図６】
2010164546.tif 000008
【図７】
2010164546.tif 000009
【図８】
2010164546.tif 000010
【図９】
2010164546.tif 000011
【図１０】
2010164546.tif 000012
【図１１】
2010164546.tif 000013
【図１２】
2010164546.tif 000014
【図１３】
2010164546.tif 000015
【図１４】
2010164546.tif 000016
【図１５】
2010164546.tif 000017
【図１６】
2010164546.tif 000018
【図１７】
2010164546.tif 000019
【図１８】
2010164546.tif 000020
【図１９】
2010164546.tif 000021
【図２０】
2010164546.tif 000022
【図２１】
2010164546.tif 000023
【図２２】
2010164546.tif 000024